(57)【要約】  ユーザ反応に基づいてコンテンツを提供する方法とシステム、および非一時的なコンピュータ読み取り可能な記録媒体を提供する。コンテンツ提供方法は、コンテンツを要求したユーザの電子機器に前記コンテンツの一部である第１コンテンツを提供する段階、前記コンテンツを要求したすべてのユーザのうち、前記ユーザが選択した第１ユーザグループが含まれた第１インタフェース空間を提供する段階、および前記第１インタフェース空間におけるユーザ反応に基づき、前記第１コンテンツの後続内容を有する前記コンテンツの一部である複数の後続部分コンテンツのうちのいずれか１つである第２コンテンツを提供する段階を含む。【選択図】図４
2021535455.tif 000002
【特許請求の範囲】
【請求項１】
コンピュータシステムが実行するコンテンツ提供方法であって、
前記コンピュータシステムは、メモリに含まれるコンピュータ読み取り可能な命令を実行するように構成された少なくとも１つのプロセッサを含み、
前記コンテンツ提供方法は、
前記少なくとも１つのプロセッサにより、コンテンツを要求したユーザの電子機器に前記コンテンツの一部である第１コンテンツを提供する段階、
前記少なくとも１つのプロセッサにより、前記コンテンツを要求したすべてのユーザのうち、前記ユーザが選択した第１ユーザグループが含まれた第１インタフェース空間を提供する段階、および
前記少なくとも１つのプロセッサにより、前記第１インタフェース空間におけるユーザ反応に基づき、前記第１コンテンツの後続内容を有する前記コンテンツの一部である複数の後続部分コンテンツのうちのいずれか１つである第２コンテンツを提供する段階
を含む、コンテンツ提供方法。
【請求項２】
前記コンテンツは、少なくとも１つの分岐点と、前記分岐点を基準として分離可能な複数の部分コンテンツを含み、
前記コンテンツは、各分岐点を基準として先行部分コンテンツの先行内容に続く互いに異なる後続内容を有する複数の後続部分コンテンツのうちの１つを含む、
請求項１に記載のコンテンツ提供方法。
【請求項３】
前記第１インタフェース空間を提供する段階は、
前記すべてのユーザを複数の基準によってグルーピングした複数のユーザグループを含むユーザグループリストを提供する段階、および
前記ユーザグループリストから選択された前記第１ユーザグループに前記第１インタフェース空間を提供する段階
を含む、請求項１〜２のうちのいずれか一項に記載のコンテンツ提供方法。
【請求項４】
前記ユーザグループリストは、前記ユーザのソーシャル関係、プロフィール情報、コンテンツ選好情報、コンテンツ消費経路のうちの少なくとも１つに基づいてグルーピングされたユーザグループを含む、
請求項３に記載のコンテンツ提供方法。
【請求項５】
前記コンテンツ提供方法は、
前記少なくとも１つのプロセッサにより、前記第１インタフェース空間に前記複数の後続部分コンテンツに対する選択機能を提供し、前記選択機能による前記ユーザ反応を認識する段階
を含み、
前記第２コンテンツを提供する段階は、
前記選択機能によって前記ユーザが選択した前記第２コンテンツを提供する、
請求項１〜４のうちのいずれか一項に記載のコンテンツ提供方法。
【請求項６】
前記コンテンツ提供方法は、
前記少なくとも１つのプロセッサにより、前記第１インタフェース空間に前記複数の後続部分コンテンツに対する投票機能を提供し、前記投票機能による前記ユーザ反応を認識する段階
を含み、
前記第２コンテンツを提供する段階は、
前記投票機能によって多数決で決まった前記第２コンテンツを提供する、
請求項１〜４のうちのいずれか一項に記載のコンテンツ提供方法。
【請求項７】
前記コンテンツ提供方法は、
前記少なくとも１つのプロセッサにより、前記第１インタフェース空間にミッションまたはクエストを提供し、前記ミッションまたは前記クエストによる前記ユーザ反応を認識する段階
を含み、
前記第２コンテンツを提供する段階は、
前記ミッションまたは前記クエストで取得した報酬によって決まった前記第２コンテンツを提供する、
請求項１〜４のうちのいずれか一項に記載のコンテンツ提供方法。
【請求項８】
前記コンテンツ提供方法は、
前記少なくとも１つのプロセッサにより、前記第１インタフェース空間において前記第１ユーザグループに含まれたユーザがやり取りする対話内容に事前に定義されたキーワードまたはアクションが登場した場合、前記ユーザ反応として認識する段階
を含み、
前記第２コンテンツを提供する段階は、
前記キーワードまたは前記アクションに対応する前記第２コンテンツを提供する、
請求項１〜４のうちのいずれか一項に記載のコンテンツ提供方法。
【請求項９】
前記コンテンツ提供方法は、
前記少なくとも１つのプロセッサにより、前記第１インタフェース空間に前記複数の後続部分コンテンツを含む後続部分コンテンツリストを提供する段階
を含み、
前記後続部分コンテンツリストを提供する段階は、
前記後続部分コンテンツリストに含まれる後続部分コンテンツごとに、推薦情報と評点情報のうちの少なくとも１つを提供する段階
を含む、請求項１〜８のうちのいずれか一項に記載のコンテンツ提供方法。
【請求項１０】
前記コンテンツ提供方法は、
前記少なくとも１つのプロセッサにより、前記第１ユーザグループで前記第２コンテンツを消費する第２ユーザグループが含まれた第２インタフェース空間を提供する段階
を含む、請求項１〜９のうちのいずれか一項に記載のコンテンツ提供方法。
【請求項１１】
前記コンテンツ提供方法は、
前記少なくとも１つのプロセッサにより、前記コンテンツに対し、前記分岐点ごとに、前記ユーザが消費した先行部分コンテンツおよび後続部分コンテンツを示すコンテンツ消費経路を提供する段階
を含む、請求項２に記載のコンテンツ提供方法。
【請求項１２】
請求項１〜１１のうちのいずれか一項に記載のコンテンツ提供方法をコンピュータに実行させるためのプログラムが記録されている、非一時的なコンピュータ読み取り可能な記録媒体。
【請求項１３】
コンピュータによって実現されるコンテンツ提供システムであって、
メモリ、および
前記メモリに接続され、前記メモリに含まれるコンピュータ読み取り可能な命令を実行するように構成された少なくとも１つのプロセッサ
を含み、
前記少なくとも１つのプロセッサは、
コンテンツを要求したユーザの電子機器に、前記コンテンツの一部である第１コンテンツを提供するコンテンツ提供部、および
前記コンテンツを要求したすべてのユーザのうち、前記ユーザが選択した第１ユーザグループが含まれた第１インタフェース空間を提供するインタフェース提供部
を含み、
前記コンテンツ提供部は、
前記第１インタフェース空間におけるユーザ反応に基づき、前記第１コンテンツの後続内容を有する前記コンテンツの一部である複数の後続部分コンテンツのうちのいずれか１つである第２コンテンツを提供する、
コンテンツ提供システム。
【請求項１４】
前記コンテンツは、少なくとも１つの分岐点と、前記分岐点を基準として分離可能な複数の部分コンテンツを含み、
前記コンテンツは、各分岐点を基準として先行部分コンテンツの先行内容に続いて互いに異なる後続内容を有する複数の後続部分コンテンツのうちの１つを含む、
請求項１３に記載のコンテンツ提供システム。
【請求項１５】
前記インタフェース提供部は、
前記すべてのユーザを複数の基準によってグルーピングした複数のユーザグループを含むユーザグループリストを提供し、
前記ユーザグループリストから選択された前記第１ユーザグループに前記第１インタフェース空間を提供する、
請求項１３〜１４のうちのいずれか一項に記載のコンテンツ提供システム。
【請求項１６】
前記少なくとも１つのプロセッサは、
前記第１インタフェース空間に前記複数の後続部分コンテンツに対する選択機能を提供し、前記選択機能による前記ユーザ反応を認識する反応認識部
を含み、
前記コンテンツ提供部は、
前記選択機能によって前記ユーザが選択した前記第２コンテンツを提供する、
請求項１３〜１５のうちのいずれか一項に記載のコンテンツ提供システム。
【請求項１７】
前記少なくとも１つのプロセッサは、
前記第１インタフェース空間に前記複数の後続部分コンテンツに対する投票機能を提供し、前記投票機能による前記ユーザ反応を認識する反応認識部
を含み、
前記コンテンツ提供部は、
前記投票機能によって多数決で決まった前記第２コンテンツを提供する、
請求項１３〜１５のうちのいずれか一項に記載のコンテンツ提供システム。
【請求項１８】
前記少なくとも１つのプロセッサは、
前記第１インタフェース空間にミッションまたはクエストを提供し、前記ミッションまたは前記クエストによる前記ユーザ反応を認識する反応認識部
を含み、
前記コンテンツ提供部は、
前記ミッションまたは前記クエストで取得した報酬によって決まった前記第２コンテンツを提供する、
請求項１３〜１５のうちのいずれか一項に記載のコンテンツ提供システム。
【請求項１９】
前記少なくとも１つのプロセッサは、
前記少なくとも１つのプロセッサにより、前記第１インタフェース空間において前記第１ユーザグループに含まれたユーザがやり取りする対話内容に事前に定義されたキーワードまたはアクションが登場した場合、前記ユーザ反応として認識する反応認識部
を含み、
前記コンテンツ提供部は、
前記キーワードまたは前記アクションに対応する前記第２コンテンツを提供する、
請求項１３〜１５のうちのいずれか一項に記載のコンテンツ提供システム。
【請求項２０】
前記少なくとも１つのプロセッサは、
前記コンテンツに対し、前記分岐点ごとに、前記ユーザが消費した先行部分コンテンツおよび後続部分コンテンツを示すコンテンツ消費経路を提供する、
請求項１４に記載のコンテンツ提供システム。
【発明の詳細な説明】
【技術分野】
【０００１】
以下の説明は、コンテンツを提供する技術に関する。
【背景技術】
【０００２】
超高速通信網の利用者が急速に増加するに伴い、通信網を利用した新規サービスの開発やサービスアイテムの多様化が発達して来ている。このように、通信網を利用するサービスの中でも最も一般的なサービスの１つとして動画提供サービスが挙げられる。
【０００３】
例えば、韓国登録特許第１０−０８２７１９８号公報（登録日２００８年４月２５日）「動画リンクサービスを提供する装置およびその方法」には、移動通信端末機を利用してインターネット上にリンクされた動画を鑑賞することができる動画リンクサービスを提供する技術が開示されている。
【発明の概要】
【発明が解決しようとする課題】
【０００４】
オンライン上でコンテンツを要求した複数のユーザの反応に基づき、該当のコンテンツの後続内容を決定して提供することができる。
【課題を解決するための手段】
【０００５】
コンピュータシステムが実行するコンテンツ提供方法であって、前記コンピュータシステムは、メモリに含まれるコンピュータ読み取り可能な命令を実行するように構成された少なくとも１つのプロセッサを含み、前記コンテンツ提供方法は、前記少なくとも１つのプロセッサにより、コンテンツを要求したユーザの電子機器に前記コンテンツの一部である第１コンテンツを提供する段階、前記少なくとも１つのプロセッサにより、前記コンテンツを要求したすべてのユーザのうち、前記ユーザが選択した第１ユーザグループが含まれた第１インタフェース空間を提供する段階、および前記少なくとも１つのプロセッサにより、前記第１インタフェース空間におけるユーザ反応に基づき、前記第１コンテンツの後続内容を有する前記コンテンツの一部である複数の後続部分コンテンツのうちのいずれか１つである第２コンテンツを提供する段階を含む、コンテンツ提供方法を提供する。
【０００６】
一側面によると、前記コンテンツは、少なくとも１つの分岐点と、前記分岐点を基準として分離可能な複数の部分コンテンツを含み、前記コンテンツは、各分岐点を基準として先行部分コンテンツの先行内容に続く互いに異なる後続内容を有する複数の後続部分コンテンツのうちの１つを含んでよい。
【０００７】
他の側面によると、前記第１インタフェース空間を提供する段階は、前記すべてのユーザを複数の基準によってグルーピングした複数のユーザグループを含むユーザグループリストを提供する段階、および前記ユーザグループリストから選択された前記第１ユーザグループに前記第１インタフェース空間を提供する段階を含んでよい。
【０００８】
また他の側面によると、前記ユーザグループリストは、前記ユーザのソーシャル関係、プロフィール情報、コンテンツ選好情報、コンテンツ消費経路のうちの少なくとも１つに基づいてグルーピングされたユーザグループを含んでよい。
【０００９】
また他の側面によると、前記コンテンツ提供方法は、前記少なくとも１つのプロセッサにより、前記第１インタフェース空間に前記複数の後続部分コンテンツに対する選択機能を提供し、前記選択機能による前記ユーザ反応を認識する段階を含み、前記第２コンテンツを提供する段階は、前記選択機能によって前記ユーザが選択した前記第２コンテンツを提供してよい。
【００１０】
また他の側面によると、前記コンテンツ提供方法は、前記少なくとも１つのプロセッサにより、前記第１インタフェース空間に前記複数の後続部分コンテンツに対する投票機能を提供し、前記投票機能による前記ユーザ反応を認識する段階を含み、前記第２コンテンツを提供する段階は、前記投票機能によって多数決で決まった前記第２コンテンツを提供してよい。
【００１１】
また他の側面によると、前記コンテンツ提供方法は、前記少なくとも１つのプロセッサにより、前記第１インタフェース空間にミッションまたはクエストを提供し、前記ミッションまたは前記クエストによる前記ユーザ反応を認識する段階を含み、前記第２コンテンツを提供する段階は、前記ミッションまたは前記クエストで取得した報酬によって決まった前記第２コンテンツを提供してよい。
【００１２】
また他の側面によると、前記コンテンツ提供方法は、前記少なくとも１つのプロセッサにより、前記第１インタフェース空間において前記第１ユーザグループに含まれたユーザがやり取りする対話内容に事前に定義されたキーワードまたはアクションが登場した場合、前記ユーザ反応として認識する段階を含み、前記第２コンテンツを提供する段階は、前記キーワードまたは前記アクションに対応する前記第２コンテンツを提供してよい。
【００１３】
また他の側面によると、前記コンテンツ提供方法は、前記少なくとも１つのプロセッサにより、前記第１インタフェース空間に前記複数の後続部分コンテンツを含む後続部分コンテンツリストを提供する段階を含み、前記後続部分コンテンツリストを提供する段階は、前記後続部分コンテンツリストに含まれた後続部分コンテンツごとに、推薦情報と評点情報のうちの少なくとも１つを提供する段階を含んでよい。
【００１４】
また他の側面によると、前記コンテンツ提供方法は、前記少なくとも１つのプロセッサにより、前記第１ユーザグループで前記第２コンテンツを消費する第２ユーザグループが含まれた第２インタフェース空間を提供する段階を含んでよい。
【００１５】
さらに他の側面によると、前記コンテンツ提供方法は、前記少なくとも１つのプロセッサにより、前記コンテンツに対し、前記分岐点ごとに、前記ユーザが消費した先行部分コンテンツおよび後続部分コンテンツを示すコンテンツ消費経路を提供する段階を含んでよい。
【００１６】
前記コンテンツ提供方法をコンピュータに実行させるためのプログラムが記録されている、非一時的なコンピュータ読み取り可能な記録媒体を提供する。
【００１７】
コンピュータによって実現されるコンテンツ提供システムであって、メモリ、および前記メモリに接続され、前記メモリに含まれるコンピュータ読み取り可能な命令を実行するように構成された少なくとも１つのプロセッサを含み、前記少なくとも１つのプロセッサは、コンテンツを要求したユーザの電子機器に前記コンテンツの一部である第１コンテンツを提供するコンテンツ提供部、および前記コンテンツを要求したすべてのユーザのうち、前記ユーザが選択した第１ユーザグループが含まれた第１インタフェース空間を提供するインタフェース提供部を含み、前記コンテンツ提供部は、前記第１インタフェース空間におけるユーザ反応に基づき、前記第１コンテンツの後続内容を有する前記コンテンツの一部である複数の後続部分コンテンツのうちのいずれか１つである第２コンテンツを提供する、コンテンツ提供システムを提供する。
【図面の簡単な説明】
【００１８】
【図１】本発明の一実施形態における、ネットワーク環境の例を示した図である。
【図２】本発明の一実施形態における、電子機器およびサーバの内部構成を説明するためのブロック図である。
【図３】本発明の一実施形態における、サーバのプロセッサが含むことのできる構成要素の例を示した図である。
【図４】本発明の一実施形態における、サーバが実行することのできる方法の例を示したフローチャートである。
【図５】本発明の一実施形態における、コンテンツの類型を説明するための例示図である。
【図６】本発明の一実施形態における、コンテンツの類型を説明するための例示図である。
【図７】本発明の一実施形態における、ユーザグループを選択する過程を説明するための例示図である。
【図８】本発明の一実施形態における、特定のユーザグループが含まれたインタフェース空間を提供する過程を説明するための例示図である。
【図９】本発明の一実施形態における、後続部分コンテンツを選択する過程を説明するための例示図である。
【図１０】本発明の一実施形態における、後続部分コンテンツを選択する過程を説明するための例示図である。
【図１１】本発明の一実施形態における、後続部分コンテンツを選択する過程を説明するための例示図である。
【図１２】本発明の一実施形態における、ユーザのコンテンツ消費経路を提供する過程を説明するための例示図である。
【発明を実施するための形態】
【００１９】
以下、本発明の実施形態について、添付の図面を参照しながら詳しく説明する。
【００２０】
本発明の実施形態は、コンテンツを提供する技術に関し、より詳細には、コンテンツに対するユーザ反応に基づき、該当のコンテンツの後続内容を決定して提供する技術に関する。
【００２１】
本明細書で具体的に開示される事項を含む実施形態は、コンテンツに対するユーザ反応に基づき、該当のコンテンツの後続内容を決定して提供することができ、これにより、サービス品質、娯楽要素、利便性、費用節減などの側面において相当な長所を達成することができる。
【００２２】
図１は、本発明の一実施形態における、ネットワーク環境の例を示した図である。図１のネットワーク環境は、複数の電子機器１１０、１２０、１３０、１４０、複数のサーバ１５０、１６０、およびネットワーク１７０を含む例を示している。このような図１は、発明の説明のための一例に過ぎず、電子機器の数またはサーバの数が図１のように限定されることはない。
【００２３】
複数の電子機器１１０、１２０、１３０、１４０は、コンピュータシステムによって実現される固定端末または移動端末であってよい。複数の電子機器１１０、１２０、１３０、１４０の例としては、スマートフォン、携帯電話、ナビゲーション、ＰＣ（ｐｅｒｓｏｎａｌ  ｃｏｍｐｕｔｅｒ）、ノート型ＰＣ、デジタル放送用端末、ＰＤＡ（Ｐｅｒｓｏｎａｌ  Ｄｉｇｉｔａｌ  Ａｓｓｉｓｔａｎｔ）、ＰＭＰ（Ｐｏｒｔａｂｌｅ  Ｍｕｌｔｉｍｅｄｉａ  Ｐｌａｙｅｒ）、タブレット、ゲームコンソール、ウェアラブルデバイス、ＩｏＴ（ｉｎｔｅｒｎｅｔ  ｏｆ  ｔｈｉｎｇｓ）デバイス、ＶＲ（ｖｉｒｔｕａｌ  ｒｅａｌｉｔｙ）デバイス、ＡＲ（ａｕｇｍｅｎｔｅｄ  ｒｅａｌｉｔｙ）デバイスなどがある。一例として、図１では、電子機器１１０の例としてスマートフォンを示しているが、本発明の実施形態において、電子機器１１０は、実質的に無線または有線通信方式を利用し、ネットワーク１７０を介して他の電子機器１２０、１３０、１４０および／またはサーバ１５０、１６０と通信することのできる多様な物理的なコンピュータシステムのうちの１つを意味してよい。
【００２４】
通信方式が限定されることはなく、ネットワーク１７０が含むことのできる通信網（一例として、移動通信網、有線インターネット、無線インターネット、放送網、衛星網など）を利用する通信方式だけではなく、機器間の近距離無線通信が含まれてもよい。例えば、ネットワーク１７０は、ＰＡＮ（ｐｅｒｓｏｎａｌ  ａｒｅａ  ｎｅｔｗｏｒｋ）、ＬＡＮ（ｌｏｃａｌ  ａｒｅａ  ｎｅｔｗｏｒｋ）、ＣＡＮ（ｃａｍｐｕｓ  ａｒｅａ  ｎｅｔｗｏｒｋ）、ＭＡＮ（ｍｅｔｒｏｐｏｌｉｔａｎ  ａｒｅａ  ｎｅｔｗｏｒｋ）、ＷＡＮ（ｗｉｄｅ  ａｒｅａ  ｎｅｔｗｏｒｋ）、ＢＢＮ（ｂｒｏａｄｂａｎｄ  ｎｅｔｗｏｒｋ）、インターネットなどのネットワークのうちの１つ以上の任意のネットワークを含んでよい。さらに、ネットワーク１７０は、バスネットワーク、スターネットワーク、リングネットワーク、メッシュネットワーク、スター−バスネットワーク、ツリーまたは階層的ネットワークなどを含むネットワークトポロジのうちの任意の１つ以上を含んでもよいが、これらに限定されることはない。
【００２５】
サーバ１５０、１６０それぞれは、複数の電子機器１１０、１２０、１３０、１４０とネットワーク１７０を介して通信して命令、コード、ファイル、コンテンツ、サービスなどを提供する１つ以上のコンピュータ装置によって実現されてよい。例えば、サーバ１５０は、ネットワーク１７０を介して接続した複数の電子機器１１０、１２０、１３０、１４０に第１サービスを提供するシステムであってよく、サーバ１６０も、ネットワーク１７０を介して接続した複数の電子機器１１０、１２０、１３０、１４０に第２サービスを提供するシステムであってよい。より具体的な例として、サーバ１５０は、複数の電子機器１１０、１２０、１３０、１４０においてインストールされて実行されるコンピュータプログラムであるアプリケーションを通じ、該当のアプリケーションが目的とするサービス（一例として、コンテンツ提供サービスなど）を第１サービスとして複数の電子機器１１０、１２０、１３０、１４０に提供してよい。他の例として、サーバ１６０は、上述したアプリケーションのインストールおよび実行のためのファイルを複数の電子機器１１０、１２０、１３０、１４０に配布するサービスを第２サービスとして提供してよい。
【００２６】
図２は、本発明の一実施形態における、電子機器およびサーバの内部構成を説明するためのブロック図である。図２では、電子機器に対する例として電子機器１１０の内部構成およびサーバ１５０の内部構成について説明する。また、他の電子機器１２０、１３０、１４０またはサーバ１６０も、上述した電子機器１１０またはサーバ１５０と同一または類似の内部構成を有してよい。
【００２７】
電子機器１１０およびサーバ１５０は、メモリ２１１、２２１、プロセッサ２１２、２２２、通信モジュール２１３、２２３、および入力／出力インタフェース２１４、２２４を含んでよい。メモリ２１１、２２１は、非一時的なコンピュータ読み取り可能な記録媒体であって、ＲＡＭ（ｒａｎｄｏｍ  ａｃｃｅｓｓ  ｍｅｍｏｒｙ）、ＲＯＭ（ｒｅａｄ  ｏｎｌｙ  ｍｅｍｏｒｙ）、ディスクドライブ、ＳＳＤ（ｓｏｌｉｄ  ｓｔａｔｅ  ｄｒｉｖｅ）、フラッシュメモリ（ｆｌａｓｈ  ｍｅｍｏｒｙ）などのような永続的大容量記録装置を含んでよい。ここで、ＲＯＭ、ＳＳＤ、フラッシュメモリ、ディスクドライブのような永続的大容量記録装置は、メモリ２１１、２２１とは区分される別の永続的記録装置として電子機器１１０またはサーバ１５０に含まれてもよい。また、メモリ２１１、２２１には、オペレーティングシステムと、少なくとも１つのプログラムコード（一例として、電子機器１１０においてインストールされて実行されるブラウザ、または特定のサービスの提供のために電子機器１１０にインストールされたアプリケーションなどのためのコード）が記録されてよい。このようなソフトウェア構成要素は、メモリ２１１、２２１とは別のコンピュータ読み取り可能な記録媒体からロードされてよい。このような別のコンピュータ読み取り可能な記録媒体は、フロッピードライブ、ディスク、テープ、ＤＶＤ／ＣＤ−ＲＯＭドライブ、メモリカードなどのコンピュータ読み取り可能な記録媒体を含んでよい。他の実施形態において、ソフトウェア構成要素は、コンピュータ読み取り可能な記録媒体ではない通信モジュール２１３、２２３を通じてメモリ２１１、２２１にロードされてもよい。例えば、少なくとも１つのプログラムは、開発者またはアプリケーションのインストールファイルを配布するファイル配布システム（一例として、上述したサーバ１６０）がネットワーク１７０を介して提供するファイルによってインストールされるコンピュータプログラム（一例として、上述したアプリケーション）に基づいてメモリ２１１、２２１にロードされてよい。
【００２８】
プロセッサ２１２、２２２は、基本的な算術、ロジック、および入出力演算を実行することにより、コンピュータプログラムの命令を処理するように構成されてよい。命令は、メモリ２１１、２２１または通信モジュール２１３、２２３によって、プロセッサ２１２、２２２に提供されてよい。例えば、プロセッサ２１２、２２２は、メモリ２１１、２２１のような記録装置に記録されたプログラムコードにしたがって受信される命令を実行するように構成されてよい。
【００２９】
通信モジュール２１３、２２３は、ネットワーク１７０を介して電子機器１１０とサーバ１５０とが互いに通信するための機能を提供してもよいし、電子機器１１０および／またはサーバ１５０が他の電子機器（一例として、電子機器１２０）または他のサーバ（一例として、サーバ１６０）と通信するための機能を提供してもよい。一例として、電子機器１１０のプロセッサ２１２がメモリ２１１のような記録装置に記録されたプログラムコードにしたがって生成した要求が、通信モジュール２１３の制御にしたがってネットワーク１７０を介してサーバ１５０に伝達されてよい。これとは逆に、サーバ１５０のプロセッサ２２２の制御にしたがって提供される制御信号または命令、コンテンツ、ファイルなどが、通信モジュール２２３とネットワーク１７０を経て電子機器１１０の通信モジュール２１３を通じて電子機器１１０に受信されてよい。例えば、通信モジュール２１３を通じて受信されたサーバ１５０の制御信号または命令、コンテンツ、ファイルなどは、プロセッサ２１２またはメモリ２１１に伝達されてよく、コンテンツまたはファイルなどは、電子機器１１０がさらに含むことのできる記録媒体（上述した永続的記録装置）に記録されてよい。
【００３０】
入力／出力インタフェース２１４は、入力／出力装置２１５とのインタフェースのための手段であってよい。例えば、入力装置は、キーボード、マウス、マイクロフォン、カメラなどの装置を、出力装置は、ディスプレイ、スピーカ、触覚フィードバックデバイスなどのような装置を含んでよい。他の例として、入力／出力インタフェース２１４は、タッチスクリーンのように入力と出力のための機能が１つに統合された装置とのインタフェースのための手段であってもよい。入力／出力装置２１５は、電子機器１１０と１つの装置で構成されてもよい。また、サーバ１５０の入力／出力インタフェース２２４は、サーバ１５０に接続するかサーバ１５０が含むことのできる入力または出力のための装置（図示せず）とのインタフェースのための手段であってよい。より具体的な例として、電子機器１１０のプロセッサ２１２がメモリ２１１にロードされたコンピュータプログラムの命令を処理するにあたり、サーバ１５０または電子機器１２０が提供するデータを利用して構成されるサービス画面またはコンテンツが、入力／出力インタフェース２１４を通じてディスプレイに表示されてよい。
【００３１】
また、他の実施形態において、電子機器１１０およびサーバ１５０は、図２の構成要素よりも多くの構成要素を含んでもよい。しかし、大部分の従来技術的構成要素を明確に図に示す必要はない。例えば、電子機器１１０は、上述した入力／出力装置２１５のうちの少なくとも一部を含むように実現されてもよいし、トランシーバ、ＧＰＳ（Ｇｌｏｂａｌ  Ｐｏｓｉｔｉｏｎｉｎｇ  Ｓｙｓｔｅｍ）モジュール、カメラ、各種センサ、データベースなどのような他の構成要素をさらに含んでもよい。より具体的な例として、電子機器１１０がスマートフォンである場合、一般的にスマートフォンが含んでいる加速度センサまたはジャイロセンサ、カメラモジュール、物理的な各種ボタン、タッチパネルを利用したボタン、入力／出力ポート、振動のための振動器などのような多様な構成要素が、電子機器１１０にさらに含まれるように実現されてよい。
【００３２】
以下では、ユーザ反応に基づいてコンテンツを提供する方法およびシステムの具体的な実施形態について説明する。
【００３３】
図３は、本発明の一実施形態における、サーバのプロセッサが含むことのできる構成要素の例を示したブロック図であり、図４は、本発明の一実施形態における、サーバが実行することのできる方法の例を示したフローチャートである。
【００３４】
本実施形態に係るサーバ１５０は、クライアント（ｃｌｉｅｎｔ）である複数の電子機器１１０、１２０、１３０、１４０を対象にコンテンツ提供サービスを提供するプラットフォームの役割を担う。ここで、コンテンツとは、テキスト、イメージ、映像、音声のうちの少なくとも１つに基づいて製作された内容物を包括したものを意味してよく、例えば、映画またはウェブトゥーン（Ｗｅｂｔｏｏｎ）、ライブクイズショー、ゲーム、電子書籍などがこれに該当してよい。特に、コンテンツ提供サービスは、先行内容に続く後続内容が複数の異なる内容に分岐された形態で製作されたコンテンツを対象とする。言い換えれば、コンテンツは、少なくとも１つの分岐点を含んでよく、各分岐点を基準として分離可能な複数の後続部分コンテンツを含んでよい。コンテンツは、各分岐点を基準として先行部分コンテンツの先行内容に続く互いに異なる後続内容を有する複数の後続部分コンテンツのうちの１つを含んでよい。
【００３５】
サーバ１５０は、コンテンツ提供サーバとして図４に係るコンテンツ提供方法を実行してよく、このために、サーバ１５０のプロセッサ２２２は、構成要素として、図３に示すように、コンテンツ提供部３１０、インタフェース提供部３２０、および反応認識部３３０を含んでよい。実施形態によって、プロセッサ２２２の構成要素は、選択的にプロセッサ２２２に含まれても除外されてもよい。また、実施形態によって、プロセッサ２２２の構成要素は、プロセッサ２２２の機能の表現のために分離されても併合されてもよい。
【００３６】
このようなプロセッサ２２２およびプロセッサ２２２の構成要素は、図４のコンテンツ提供方法が含む段階４１０〜４６０を実行するようにサーバ１５０を制御してよい。例えば、プロセッサ２２２およびプロセッサ２２２の構成要素は、メモリ２２１が含むオペレーティングシステムのコードと、少なくとも１つのプログラムのコードとによる命令（ｉｎｓｔｒｕｃｔｉｏｎ）を実行するように実現されてよい。
【００３７】
ここで、プロセッサ２２２の構成要素は、サーバ１５０に記録されたプログラムコードが提供する命令にしたがってプロセッサ２２２によって実行される、プロセッサ２２２の互いに異なる機能（ｄｉｆｆｅｒｅｎｔ  ｆｕｎｃｔｉｏｎｓ）の表現であってよい。例えば、サーバ１５０が電子機器１１０、１２０、１３０、１４０の要求に対応するコンテンツを提供するように上述した命令にしたがってサーバ１５０を制御するプロセッサ２２２の機能的表現として、コンテンツ提供部３１０が利用されてよい。
【００３８】
段階４１０で、プロセッサ２２２は、サーバ１５０の制御と関連する命令がロードされたメモリ２２１から必要な命令を読み取ってよい。この場合、前記読み取られた命令は、以下で説明する段階４２０〜４６０をプロセッサ２２２が実行するように制御するための命令を含んでよい。
【００３９】
段階４２０で、コンテンツ提供部３１０は、コンテンツを要求したユーザの電子機器１１０に、コンテンツの一部である第１コンテンツを提供してよい。一例として、コンテンツ提供部３１０は、コンテンツを要求したすべてのユーザを対象に、該当のコンテンツを定められた時間にリアルタイムストリーミング方式によって一括提供してよい。特に、コンテンツ提供部３１０は、先行内容に続く後続内容が複数の他の内容に分岐された形態のコンテンツを提供してよい。このとき、コンテンツは、少なくとも１つの分岐点を含み、分岐点ごとに、該当のコンテンツの一部として先行内容に続く後続内容を有する複数の後続部分コンテンツを含んでよい。
【００４０】
段階４３０で、インタフェース提供部３２０は、コンテンツを要求したすべてのユーザが多様な基準によってグルーピングされたユーザグループのうち、電子機器１１０のユーザが選択した第１ユーザグループが含まれた第１インタフェース空間を提供してよい。このとき、ユーザグループは、電子機器１１０のユーザと関連する情報の一例として、ソーシャル関係（例えば、友達など）、プロフィール情報（例えば、年齢、性別、位置など）、コンテンツ選好情報、コンテンツ分岐履歴などに基づいて決定されてよい。ユーザと関連する情報は、サーバ１５０またはサーバ１５０と連動可能な他のサーバ１６０上に記録された情報であってよく、またはサーバ１５０が提供するコンテンツに対するユーザの消費履歴またはパターンなどを分析することで取得可能な情報であってよい。コンテンツ選好情報は、ユーザが主に消費するコンテンツの趣向またはジャンルなどを含んでよく、コンテンツ分岐履歴は、各コンテンツのフローヒストリーとして、ユーザが消費した部分コンテンツを含むコンテンツ経路を含んでよい。ここで、第１インタフェース空間は、第１ユーザグループが参加するチャットルームであって、第１ユーザグループに含まれるユーザ同士の対話機能はもちろん、第１コンテンツと関連する情報あるいは第１コンテンツに対するユーザコメントなどを共有する機能を含んでよい。
【００４１】
段階４４０で、反応認識部３３０は、電子機器１１０のユーザが選択した第１ユーザグループが含まれた第１インタフェース空間において、第１コンテンツの後続内容としてコンテンツの一部である複数の後続部分コンテンツのうちのいずれか１つである第２コンテンツを決定するためのユーザ反応を認識してよい。反応認識部３３０は、コンテンツの分岐点に到達した場合、例えば、第１コンテンツの送信が完了した時点に到達した場合、第１インタフェース空間に、選択、投票、ミッション（ｍｉｓｓｉｏｎ）またはクエスト（ｑｕｅｓｔ）などのように第２コンテンツを決定するためのユーザ反応を認識するためのインタラクション要素などを提供してよい。一例として、反応認識部３３０は、第１インタフェース空間に後続部分コンテンツに対する選択機能を提供し、第２コンテンツに対する直接的な選択をユーザ反応として認識してよい。他の例として、反応認識部３３０は、第１インタフェース空間に後続部分コンテンツに対する投票機能を提供し、すべてのユーザまたは第１ユーザグループが多数決で決めた投票結果をユーザ反応として認識してよい。また他の例として、反応認識部３３０は、第１インタフェース空間にミッションまたはクエストを提供し、これから取得した報酬をユーザ反応として認識してよい。このとき、各ユーザには、コンテンツ消費実績、サービス全般の参加度または信頼度などを基にした等級が付与されてよく、第１ユーザグループにおいて等級を基準として特定された少なくとも１つのユーザに後続部分コンテンツに対する選択権限または投票権限を提供するか、またはミッションまたはクエストから取得した報酬に対して等級別に差のある加重値を適用してよい。インタラクション要素を利用する他にも、反応認識部３３０は、第１インタフェース空間においてユーザがやり取りする対話の途中に後続部分コンテンツごとに事前に定義されたキーワードまたはアクションなどが登場した場合、これをコンテンツ分岐と同時に第２コンテンツを決定するためのユーザ反応として認識することも可能である。
【００４２】
段階４５０で、コンテンツ提供部３１０は、第１コンテンツから分岐された複数の後続部分コンテンツのうちでユーザ反応に対応する第２コンテンツを提供してよい。一例として、コンテンツ提供部３１０は、電子機器１１０のユーザが直接選択した第２コンテンツを電子機器１１０に提供してよい。他の例として、コンテンツ提供部３１０は、電子機器１１０のユーザが選択した第１ユーザグループによる投票によって多数決で決まった第２コンテンツを電子機器１１０に提供してよい。第１ユーザグループに限定されてはならず、コンテンツを要求したすべてのユーザによる投票結果によって決定された第２コンテンツを提供することも可能である。また他の例として、コンテンツ提供部３１０は、電子機器１１０のユーザが選択した第１ユーザグループがミッションまたはクエストから取得した報酬による第２コンテンツを電子機器１１０に提供してよい。例えば、第１ユーザグループが、ミッションまたはクエストで取得した合計得点が目標値に到達すればコンテンツＡを提供し、目標値に到達できなければコンテンツＢを提供してよい。さらに他の例として、コンテンツ提供部３１０は、電子機器１１０のユーザが選択した第１ユーザグループのユーザがやり取りする対話内容に事前に定義されたキーワードまたはアクションが登場した場合、該当のキーワードまたはアクションに対応する第２コンテンツを電子機器１１０に提供してよい。したがって、コンテンツ提供部３１０は、電子機器１１０のユーザまたは電子機器１１０のユーザが選択した第１ユーザグループの反応に基づき、第２コンテンツを決定して提供してよい。
【００４３】
段階４６０で、インタフェース提供部３２０は、第１ユーザグループで同じ分岐経路の第２コンテンツを消費する第２ユーザグループが含まれた第２インタフェース空間を提供してよい。第２インタフェース空間は、第２ユーザグループが参加するチャットルームであって、第２ユーザグループに含まれるユーザ同士の対話機能はもちろん、第２コンテンツと関連する情報あるいは第２コンテンツに対するユーザコメントなどを共有する機能を含んでよい。このとき、第２インタフェース空間は、第１インタフェース空間とは別の空間として新たに生成されたチャットルームであってよく、または、第１インタフェース空間から電子機器１１０のユーザとは異なる内容の後続部分コンテンツを消費するユーザを除き、電子機器１１０のユーザと同じ内容の後続部分コンテンツを消費する第２ユーザグループを維持する形態であってもよい。また、インタフェース提供部３２０は、コンテンツに対し、該当のコンテンツの分岐点ごとに、電子機器１１０のユーザがどのような後続部分コンテンツ、すなわち、第２コンテンツを消費したかを示すコンテンツ経路を提供してよい。このとき、インタフェース提供部３２０は、コンテンツの分岐経路全体において、電子機器１１０のユーザが消費した後続部分コンテンツと消費していない後続部分コンテンツとを区分して示してよい。
【００４４】
以下では、ユーザ反応に基づいてコンテンツを提供する技術についてより具体的に説明する。
【００４５】
図５〜６は、本発明の一実施形態における、コンテンツの類型を説明するための例示図である。
【００４６】
図５を参照すると、コンテンツ５００は、先行内容に続く後続内容が複数の異なる内容に分岐された形態であって、コンテンツ５００の一部である第１コンテンツ５１０と、第１コンテンツ５１０から分岐されてそれぞれ異なる内容Ａ、Ｂ、Ｃを含む複数の後続部分コンテンツ５２０とを含んでよい。分岐点が１つであるコンテンツ５００を例示して説明しているが、これに限定されてはならず、２つ以上の分岐点を含んでもよく、分岐点ごとに複数の後続部分コンテンツを含んでよい。
【００４７】
後続部分コンテンツ５２０は、選択または投票過程などでユーザに直接公開されるコンテンツＡ、Ｂ、Ｃの他にも、図６に示すように、公開されない隠れ（ｈｉｄｄｅｎ）経路として、事前に定められたミッションまたはクエスト、キーワードなどのようにユーザ反応によって提供可能な隠れ（ｈｉｄｄｅｎ）コンテンツ６２１を含んでもよい。
【００４８】
図７は、本発明の一実施形態における、ユーザグループを選択する過程を説明するための例示図である。
【００４９】
図７を参照すると、インタフェース提供部３２０は、ユーザグループ選択画面７００に、コンテンツを要求したすべてのユーザを多様な基準によってグルーピングしたユーザグループリスト７１０を提供してよい。ユーザグループは、ソーシャル関係、プロフィール情報、コンテンツ選好情報、コンテンツ分岐履歴などに基づいて決定されてよく、例えば、ユーザグループリスト７１０は、コンテンツを要求したすべてのユーザ、友達関係が設定されたユーザを含む友達グループ、同年代のユーザを含む年齢グループ、コンテンツに対する趣向が同一あるいは類似するユーザを含む趣向グループ、以前に消費した部分コンテンツに対するコンテンツ経路が同じであるユーザを含むコンテンツ経路グループなどを含んでよい。
【００５０】
図８は、本発明の一実施形態における、特定のユーザグループが含まれたインタフェース空間を提供する過程を説明するための例示図である。
【００５１】
インタフェース提供部３２０は、電子機器１１０のユーザが、図７のユーザグループ選択画面７００のユーザグループリスト７１０から特定のグループ、例えば、趣向グループを選択した場合、図８に示すように、第１コンテンツが提供されるコンテンツ画面８００上に、第１コンテンツに関する情報またはユーザコメントを共有することのできるインタフェース空間として、電子機器１１０のユーザと趣向が同一あるいは類似するユーザが含まれたグループチャットルーム８１０を提供してよい。
【００５２】
図９〜１１は、本発明の一実施形態における、後続部分コンテンツを選択する過程を説明するための例示図である。
【００５３】
図９を参照すると、反応認識部３３０は、コンテンツの分岐点に到達した場合（例えば、第１コンテンツの送信が完了した場合）、グループチャットルーム８１０に、該当の分岐点で選択可能な後続部分コンテンツを含むコンテンツリスト９２０を提供してよく、電子機器１１０のユーザがコンテンツリスト９２０から１つの後続部分コンテンツである第２コンテンツを選択したという情報を受信してよい。
【００５４】
図１０を参照すると、反応認識部３３０は、コンテンツリスト９２０に含まれた後続部分コンテンツごとに推薦情報１０２１をともに提供してよい。例えば、推薦情報１０２１は、コンテンツを要求したすべてのユーザが選択した比重、友達関係にあるユーザが選択した比重、趣向が同一あるいは類似するユーザが選択した比重などを含むか、あるいは上述した比重を基にしたランキング情報を含んでよい。これにより、電子機器１１０のユーザは、後続部分コンテンツを選択する過程において推薦情報１０２１を考慮して第２コンテンツを決定することができる。
【００５５】
図１１を参照すると、反応認識部３３０は、コンテンツリスト９２０に含まれた後続部分コンテンツごとに評点情報１１２１をともに提供してよい。コンテンツを消費したユーザは、分岐経路によって自身が消費した個別コンテンツごとに、または個別コンテンツに含まれる部分コンテンツごとに評点を付与してよく、反応認識部３３０は、コンテンツリスト９２０の後続部分コンテンツごとにユーザからの評点情報１１２１を提供してよい。これにより、電子機器１１０のユーザは、後続部分コンテンツを選択する過程において評点情報１１２１を考慮して第２コンテンツを決定することができる。ユーザが付与した各コンテンツの評点は、コンテンツに対するユーザの趣向などようにコンテンツの選好情報を分析するために活用されてよい。
【００５６】
ユーザが個別に第２コンテンツを直接選択する方式ではなく、投票によって第２コンテンツを決定する過程であっても、投票可能なコンテンツリスト９２０を提供するときには、同じように推薦情報１０２１および／または評点情報１１２１をともに提供してよい。
【００５７】
図１２は、本発明の一実施形態における、ユーザのコンテンツ消費経路を提供する過程を説明するための例示図である。
【００５８】
図１２を参照すると、インタフェース提供部３２０は、コンテンツ経路画面１２００に、電子機器１１０のユーザがコンテンツの各分岐点でどのような部分コンテンツを消費したかを示すコンテンツ消費経路１２３０を示してよい。インタフェース提供部３２０は、分岐点に到達するたびに、これまで消費したユーザのコンテンツ消費経路１２３０を提供してよい。このとき、コンテンツのすべての分岐経路のうち、ユーザのコンテンツ消費経路１２３０は、残りの分岐経路とは区分されるように異なるように表示してよい。例えば、電子機器１１０のユーザが、第１コンテンツに続いてコンテンツＢを消費してコンテンツＡおよびＣは消費しなかった場合、第１コンテンツおよびコンテンツＢはコンテンツＡおよびＣとは区別して表示されてよい。
【００５９】
このように、本発明の実施形態によると、先行内容に続く後続内容が複数の異なる内容に分岐された形態のコンテンツに対し、オンライン上の複数のユーザの反応に基づき、該当のコンテンツの後続内容を決定して提供することができる。
【００６０】
上述した装置は、ハードウェア構成要素、ソフトウェア構成要素、および／またはハードウェア構成要素とソフトウェア構成要素との組み合わせによって実現されてよい。例えば、実施形態で説明された装置および構成要素は、プロセッサ、コントローラ、ＡＬＵ（ａｒｉｔｈｍｅｔｉｃ  ｌｏｇｉｃ  ｕｎｉｔ）、デジタル信号プロセッサ、マイクロコンピュータ、ＦＰＧＡ（ｆｉｅｌｄ  ｐｒｏｇｒａｍｍａｂｌｅ  ｇａｔｅ  ａｒｒａｙ）、ＰＬＵ（ｐｒｏｇｒａｍｍａｂｌｅ  ｌｏｇｉｃ  ｕｎｉｔ）、マイクロプロセッサ、または命令を実行して応答することができる様々な装置のように、１つ以上の汎用コンピュータまたは特殊目的コンピュータを利用して実現されてよい。処理装置は、オペレーティングシステム（ＯＳ）およびＯＳ上で実行される１つ以上のソフトウェアアプリケーションを実行してよい。また、処理装置は、ソフトウェアの実行に応答し、データにアクセスし、データを記録、操作、処理、および生成してもよい。理解の便宜のために、１つの処理装置が使用されるとして説明される場合もあるが、当業者は、処理装置が複数個の処理要素および／または複数種類の処理要素を含んでもよいことが理解できるであろう。例えば、処理装置は、複数個のプロセッサまたは１つのプロセッサおよび１つのコントローラを含んでよい。また、並列プロセッサのような、他の処理構成も可能である。
【００６１】
ソフトウェアは、コンピュータプログラム、コード、命令、またはこれらのうちの１つ以上の組み合わせを含んでもよく、思うままに動作するように処理装置を構成したり、独立的または集合的に処理装置に命令したりしてよい。ソフトウェアおよび／またはデータは、処理装置に基づいて解釈されたり、処理装置に命令またはデータを提供したりするために、いかなる種類の機械、コンポーネント、物理装置、コンピュータ記録媒体または装置に具現化されてよい。ソフトウェアは、ネットワークによって接続されたコンピュータシステム上に分散され、分散された状態で記録されても実行されてもよい。ソフトウェアおよびデータは、１つ以上のコンピュータ読み取り可能な記録媒体に記録されてよい。
【００６２】
実施形態に係る方法は、多様なコンピュータ手段によって実行可能なプログラム命令の形態で実現されてコンピュータ読み取り可能な媒体に記録されてよい。ここで、媒体は、コンピュータ実行可能なプログラムを継続して記録するものであっても、実行またはダウンロードのために一時記録するものであってもよい。また、媒体は、単一または複数のハードウェアが結合した形態の多様な記録手段または格納手段であってよく、あるコンピュータシステムに直接接続する媒体に限定されることはなく、ネットワーク上に分散して存在するものであってもよい。媒体の例は、ハードディスク、フロッピー（登録商標）ディスク、および磁気テープのような磁気媒体、ＣＤ−ＲＯＭおよびＤＶＤのような光媒体、フロプティカルディスク（ｆｌｏｐｔｉｃａｌ  ｄｉｓｋ）のような光磁気媒体、およびＲＯＭ、ＲＡＭ、フラッシュメモリなどを含み、プログラム命令が記録されるように構成されたものであってよい。また、媒体の他の例として、アプリケーションを配布するアプリケーションストアまたはその他の多様なソフトウェアを供給または配布するサイト、サーバなどで管理する記録媒体または格納媒体が挙げられる。
【００６３】
以上のように、実施形態を、限定された実施形態および図面に基づいて説明したが、当業者であれば、上述した記載から多様な修正および変形が可能であろう。例えば、説明された技術が、説明された方法とは異なる順序で実行されたり、かつ／あるいは、説明されたシステム、構造、装置、回路などの構成要素が、説明された方法とは異なる形態で結合されたりまたは組み合わされたり、他の構成要素または均等物によって対置されたり置換されたとしても、適切な結果を達成することができる。
【００６４】
したがって、異なる実施形態であっても、特許請求の範囲と均等なものであれば、添付される特許請求の範囲に属する。
【図１】
2021535455.tif 000003
【図２】
2021535455.tif 000004
【図３】
2021535455.tif 000005
【図４】
2021535455.tif 000006
【図５】
2021535455.tif 000007
【図６】
2021535455.tif 000008
【図７】
2021535455.tif 000009
【図８】
2021535455.tif 000010
【図９】
2021535455.tif 000011
【図１０】
2021535455.tif 000012
【図１１】
2021535455.tif 000013
【図１２】
2021535455.tif 000014
【国際調査報告】
2021535455.tif 000015
2021535455.tif 000016
2021535455.tif 000017
2021535455.tif 000018